(57)【要約】【課題】着用時に鼓ボタンの座金部分が肌に直接触れないようにした着心地の良いシャツを提供する。【解決手段】鼓ボタン１０を採用したシャツに関し、下前身頃５の前身端７で裏側に折り重ねられてステッチＳで縫い付けられた部分に、このステッチＳの縫い付けにより袋綴じにされて前記鼓ボタン１０の座金部分１０ｂを被覆し得るように折り返された比翼部１６を形成する。【選択図】図１
0003104515.tif 000002
【実用新案登録請求の範囲】
【請求項１】
上前身頃及び下前身頃の両方の前身端にボタン孔を形成し、両ボタン孔に通した鼓ボタンにより上前身頃及び下前身頃の前身端同士を閉じ合わせるようにしたシャツにおいて、下前身頃の前身端の裏側に、該前身端における各鼓ボタンの座金部分を被覆し得るように比翼部を形成したことを特徴とするシャツ。
【請求項２】
衿台の両方の端部にボタン孔を形成し、両ボタン孔に通した鼓ボタンにより衿元を閉じ合わせるようにしたシャツにおいて、衿台の下前身頃側のボタン孔の裏側に、鼓ボタンの座金部分を被覆し得るように別の生地を宛がって袋状に縫い付けたことを特徴とするシャツ。
【請求項３】
カフス部の両方の端部にボタン孔を形成し、両ボタン孔に通した鼓ボタンにより袖口を閉じ合わせるようにしたシャツにおいて、カフス部の下側に重なる端部のボタン孔の裏側に、鼓ボタンの座金部分を被覆し得るように別の生地を宛がって袋状に縫い付けたことを特徴とするシャツ。
【考案の詳細な説明】
【技術分野】
【０００１】
本考案は、鼓ボタンを採用したシャツに関するものである。
【背景技術】
【０００２】
日本国内におけるシャツで一般的に用いられているボタン留め形式は、一方の衣料生地に縫着したボタンを、他方の衣料生地に形成したボタン孔に掛け留めして両衣料生地を閉じ合わせるというものが主流であるが、インド等の海外で生産されているシャツには、鼓ボタンと呼称される金属製の特殊ボタンを用いたボタン留め形式が採用されている例も多い。
【０００３】
図５及び図６は鼓ボタンを採用したシャツの一例を示すもので、図５はシャツの前を閉じ合わせた時の状態を示し、図６はシャツの前を閉じ合わせる前の状態を示しており、図中１はシャツ、２は衿、３は衿台、４は上前身頃（シャツ１の前を閉じ合わせた時に上側になる前面部分）、５は下前身頃（シャツ１の前を閉じ合わせた時に下側になる前面部分）を示しており、上前身頃４と下前身頃５の両方の前身端６，７に複数のボタン孔８，９が形成され、両ボタン孔８，９に通した鼓ボタン１０により上前身頃４及び下前身頃５の前身端６，７同士が閉じ合わされるようになっている。
【０００４】
即ち、鼓ボタン１０は、図７に概略的に示す如きボタン本体１０ａと座金部分１０ｂとを連結部１０ｃで連結して構成されており、下前身頃５のボタン孔９の裏側に座金部分１０ｂを掛止させた状態で上前身頃４のボタン孔８の表側にボタン本体１０ａを掛止させることでボタン留めが成されるようにしてある。
【０００５】
また、衿台３の両方の端部にもボタン孔１１，１２が形成されていて、両ボタン孔１１，１２に通した鼓ボタン１０により衿元が閉じ合わされるようにしてあり、更には、カフス部１３の両方の端部にもボタン孔１４，１５が形成されていて、両ボタン孔１４，１５に通した鼓ボタン１０により袖口が閉じ合わされるようにしてある（図５参照）。
【考案の開示】
【考案が解決しようとする課題】
【０００６】
しかしながら、鼓ボタン１０を採用した従来のシャツ１では、シャツ１の前を閉じ合わせる前の状態において、鼓ボタン１０が下前身頃５側の前身端７のボタン孔９や、衿台３の下前身頃５側の端部のボタン孔１２に鼓ボタン１０が保持されるようになっており、また、袖口を閉じ合わせる前の状態においては、カフス部１３の下側に重なる端部のボタン孔１５に鼓ボタン１０が保持されるようになっているが、これらボタン孔９，１２，１５の何れに保持されている鼓ボタン１０も、その座金部分１０ｂが衣料生地の裏側に露出してしまうので、着用時に鼓ボタン１０の座金部分１０ｂが肌に直接触れて不快な冷感を感じてしまうという不具合があった。
【０００７】
尚、下前身頃５側の前身端７のボタン孔９に保持されている鼓ボタン１０の詳細は図８に示す通りであり、下前身頃５の前身端７で裏側に折り重ねられてステッチＳで縫い付けられた二重の部分にボタン孔９が形成されていて、このボタン孔９に鼓ボタン１０の連結部１０ｃが通され、表側にボタン本体１０ａが、裏側に座金部分１０ｂが夫々露出するようになっている。
【０００８】
他方、衿台３やカフス部１３のボタン孔１２，１５に保持されている鼓ボタン１０の詳細は図９に示す通りであり、これら衿台３やカフス部１３の何れも保形性を高めるために二重になっており、ここに形成されたボタン孔１２やボタン孔１５に鼓ボタン１０の連結部１０ｃが通され、表側にボタン本体１０ａが、裏側に座金部分１０ｂが夫々露出するようになっている。
【０００９】
本考案は、上述の実情に鑑みてなしたもので、着用時に鼓ボタンの座金部分が肌に直接触れないようにした着心地の良いシャツを提供することを目的としている。
【課題を解決するための手段】
【００１０】
本考案の請求項１に記載の考案は、上前身頃及び下前身頃の両方の前身端にボタン孔を形成し、両ボタン孔に通した鼓ボタンにより上前身頃及び下前身頃の前身端同士を閉じ合わせるようにしたシャツにおいて、下前身頃の前身端の裏側に、該前身端における各鼓ボタンの座金部分を被覆し得るように比翼部を形成したことを特徴とするものである。
【００１１】
而して、このようにすれば、上前身頃及び下前身頃の前身端同士を閉じ合わせるにあたり、下前身頃の前身端の裏側に掛止される鼓ボタンの座金部分が比翼部により被覆されて肌に直接触れなくなるので、シャツの着用時に鼓ボタンの座金部分が肌に触れることで不快な冷感を感じてしまう不具合が未然に回避される。
【００１２】
また、本考案の請求項２に記載の考案は、衿台の両方の端部にボタン孔を形成し、両ボタン孔に通した鼓ボタンにより衿元を閉じ合わせるようにしたシャツにおいて、衿台の下前身頃側のボタン孔の裏側に、鼓ボタンの座金部分を被覆し得るように別の生地を宛がって袋状に縫い付けたことを特徴とするものである。
【００１３】
而して、このようにすれば、衿元を閉じ合わせるにあたり、衿台の下前身頃側端部の裏側に掛止される鼓ボタンの座金部分が別の生地により被覆されて肌に直接触れなくなるので、シャツの着用時に鼓ボタンの座金部分が肌に触れることで不快な冷感を感じてしまう不具合が未然に回避される。
【００１４】
更に、本考案の請求項３に記載の考案は、カフス部の両方の端部にボタン孔を形成し、両ボタン孔に通した鼓ボタンにより袖口を閉じ合わせるようにしたシャツにおいて、カフス部の下側に重なる端部のボタン孔の裏側に、鼓ボタンの座金部分を被覆し得るように別の生地を宛がって袋状に縫い付けたことを特徴とするものである。
【００１５】
而して、このようにすれば、袖口を閉じ合わせるにあたり、カフス部の下側に重なる端部の裏側に掛止される鼓ボタンの座金部分が別の生地により被覆されて肌に直接触れなくなるので、シャツの着用時に鼓ボタンの座金部分が肌に触れることで不快な冷感を感じてしまう不具合が未然に回避される。
【考案の効果】
【００１６】
上記した本考案のシャツによれば、下記の如き種々の優れた効果を奏し得る。
【００１７】
（Ｉ）シャツの着用時に鼓ボタンの座金部分が肌に触れることで不快な冷感を感じてしまう不具合を未然に回避することができるので、鼓ボタンを採用したシャツの着心地を著しく改善することができる。
【００１８】
（ＩＩ）外気温度が高い時にシャツの胸元を開けたり、汚れ仕事や水仕事のために袖口を折り返したりしても、裏地側に鼓ボタンの座金部分が露出しないので、シャツの美観を良好に保つことができる。
【考案を実施するための最良の形態】
【００１９】
以下本考案の実施の形態を図示例と共に説明する。
【００２０】
図１〜図４は本考案の実施の形態の一例を示すもので、図中図５〜図９と同一の符号を付した部分は同一物を表わしている。
【００２１】
前述した図５〜図９と同様に鼓ボタン１０を採用したシャツ１に関し、本形態例においては、先に説明した従来例の図８と同じ破断位置で見た図１の断面図に示す如く、下前身頃５の前身端７で裏側に折り重ねられてステッチＳで縫い付けられた部分に、このステッチＳの縫い付けにより袋綴じにされて前記鼓ボタン１０の座金部分１０ｂを被覆し得るように折り返された比翼部１６が形成されている。
【００２２】
即ち、この比翼部１６は、下前身頃５の前身端７で裏側に折り込まれる部分を従来より長めに確保しておき、これを左右交互に計三回折り返して葛折りにしたものをステッチＳで縫い付けることにより形成されており、アイロンプレス等により鼓ボタン１０の座金部分１０ｂを被覆した状態で形付けられている。
【００２３】
また、図２に下前身頃５を裏側から見た状態を示しているように、衿台３の下前身頃５側のボタン孔１２の裏側には、鼓ボタン１０の座金部分１０ｂを被覆し得るように別の生地１７が宛がわれて袋状に縫い付けられている。
【００２４】
更に、図３にカフス部１３を展開して裏側から見た状態を示しているように、カフス部１３の下側に重なる端部のボタン孔１５の裏側には、鼓ボタン１０の座金部分１０ｂを被覆し得るように別の生地１８が宛がわれて袋状に縫い付けられている。
【００２５】
尚、これら図２及び図３の要部に関する断面図は図４に示す通りであるが、この図４は、先の図１の断面図に倣い、表側から見た衿台３やカフス部１３の要部を水平に破断して見上げた方向の断面で示してある。
【００２６】
而して、このようにシャツ１を構成すれば、上前身頃４及び下前身頃５の前身端６，７同士を閉じ合わせるにあたり、下前身頃５の前身端７の裏側に掛止される鼓ボタン１０の座金部分１０ｂが比翼部１６により被覆されて肌に直接触れなくなり、しかも、衿元を閉じ合わせるにあたっても、衿台３の下前身頃５側端部の裏側に掛止される鼓ボタン１０の座金部分１０ｂが別の生地１７により被覆されて肌に直接触れなくなり、更には、袖口を閉じ合わせるにあたっても、カフス部１３の下側に重なる端部の裏側に掛止される鼓ボタン１０の座金部分１０ｂが別の生地１８により被覆されて肌に直接触れなくなるので、シャツ１の着用時に鼓ボタン１０の座金部分１０ｂが肌に触れることで不快な冷感を感じてしまう不具合が未然に回避されることになる。
【００２７】
従って、上記形態例によれば、シャツ１の着用時に鼓ボタン１０の座金部分１０ｂが肌に触れることで不快な冷感を感じてしまう不具合を未然に回避することができるので、鼓ボタン１０を採用したシャツ１の着心地を著しく改善することができる。
【００２８】
また、外気温度が高い時にシャツ１の胸元を開けたり、汚れ仕事や水仕事のために袖口を折り返したりしても、裏地側に鼓ボタン１０の座金部分１０ｂが露出しないので、シャツ１の美観を良好に保つことができるという利点もある。
【００２９】
尚、本考案のシャツは、上述の形態例にのみ限定されるものではなく、本考案の要旨を逸脱しない範囲内において種々変更を加え得ることは勿論である。
【図面の簡単な説明】
【００３０】
【図１】本考案の実施の形態の一例を示す断面図である。
【図２】図１の下前身頃を裏側から見た状態を示す背面図である。
【図３】カフス部を展開して裏側から見た状態を示す平面図である。
【図４】図２及び図３の要部に関する断面図である。
【図５】鼓ボタンでシャツの前を閉じ合わせた状態を示す正面図である。
【図６】図５のシャツの前を閉じ合わせる前の状態を示す正面図である。
【図７】鼓ボタンの概略を示す斜視図である。
【図８】従来の鼓ボタンの保持状態の一例を示す断面図である。
【図９】従来の鼓ボタンの保持状態の別の例を示す断面図である。
【符号の説明】
【００３１】
１  シャツ
２  衿
３  衿台
４  上前身頃
５  下前身頃
６  前身端
７  前身端
８  ボタン孔
９  ボタン孔
１０  鼓ボタン
１０ａ  ボタン本体
１０ｂ  座金部分
１０ｃ  連結部
１１  ボタン孔
１２  ボタン孔
１３  カフス部
１４  ボタン孔
１５  ボタン孔
１６  比翼部
１７  別の生地
１８  別の生地
Ｓ  ステッチ
【図１】
0003104515.tif 000003
【図２】
0003104515.tif 000004
【図３】
0003104515.tif 000005
【図４】
0003104515.tif 000006
【図５】
0003104515.tif 000007
【図６】
0003104515.tif 000008
【図７】
0003104515.tif 000009
【図８】
0003104515.tif 000010
【図９】
0003104515.tif 000011
【手続補正書】
【提出日】平成16年5月11日(2004.5.11)
【手続補正１】
【補正対象書類名】実用新案登録請求の範囲
【補正対象項目名】全文
【補正方法】変更
【補正の内容】
【実用新案登録請求の範囲】
【請求項１】
上前身頃及び下前身頃の両方の前身端にボタン孔を形成し、両ボタン孔に通した鼓ボタンにより上前身頃及び下前身頃の前身端同士を閉じ合わせるようにしたシャツにおいて、下前身頃の前身端で裏側に折り込まれる部分を左右交互に折り返してステッチで縫い付け且つアイロンプレスにより鼓ボタンの座金部分を被覆した状態に形付けて比翼部を形成したことを特徴とするシャツ。
【請求項２】
衿台の両方の端部にボタン孔を形成し、両ボタン孔に通した鼓ボタンにより衿元を閉じ合わせるように構成すると共に、衿台の下前身頃側のボタン孔の裏側に、鼓ボタンの座金部分を被覆し得るように別の生地を宛がって袋状に縫い付けたことを特徴とする請求項１に記載のシャツ。
【請求項３】
カフス部の両方の端部にボタン孔を形成し、両ボタン孔に通した鼓ボタンにより袖口を閉じ合わせるように構成すると共に、カフス部の下側に重なる端部のボタン孔の裏側に、鼓ボタンの座金部分を被覆し得るように別の生地を宛がって袋状に縫い付けたことを特徴とする請求項１又は２に記載のシャツ。
【手続補正２】
【補正対象書類名】明細書
【補正対象項目名】００１０
【補正方法】変更
【補正の内容】
【００１０】
本考案の請求項１に記載の考案は、上前身頃及び下前身頃の両方の前身端にボタン孔を形成し、両ボタン孔に通した鼓ボタンにより上前身頃及び下前身頃の前身端同士を閉じ合わせるようにしたシャツにおいて、下前身頃の前身端で裏側に折り込まれる部分を左右交互に折り返してステッチで縫い付け且つアイロンプレスにより鼓ボタンの座金部分を被覆した状態に形付けて比翼部を形成したことを特徴とするものである。
【手続補正３】
【補正対象書類名】明細書
【補正対象項目名】００１２
【補正方法】変更
【補正の内容】
【００１２】
また、本考案の請求項２に記載の考案は、本考案の請求項１に記載のシャツに関し、衿台の両方の端部にボタン孔を形成し、両ボタン孔に通した鼓ボタンにより衿元を閉じ合わせるように構成すると共に、衿台の下前身頃側のボタン孔の裏側に、鼓ボタンの座金部分を被覆し得るように別の生地を宛がって袋状に縫い付けたことを特徴とするものである。
【手続補正４】
【補正対象書類名】明細書
【補正対象項目名】００１４
【補正方法】変更
【補正の内容】
【００１４】
更に、本考案の請求項３に記載の考案は、本考案の請求項１に記載のシャツに関し、カフス部の両方の端部にボタン孔を形成し、両ボタン孔に通した鼓ボタンにより袖口を閉じ合わせるように構成すると共に、カフス部の下側に重なる端部のボタン孔の裏側に、鼓ボタンの座金部分を被覆し得るように別の生地を宛がって袋状に縫い付けたことを特徴とするものである。
【手続補正５】
【補正対象書類名】明細書
【補正対象項目名】００２２
【補正方法】変更
【補正の内容】
【００２２】
即ち、この比翼部１６は、下前身頃５の前身端７で裏側に折り込まれる部分を従来より長めに確保しておき、これを左右交互に計三回折り返して葛折りにしたものをステッチＳで縫い付けることにより形成されており、アイロンプレスにより鼓ボタン１０の座金部分１０ｂを被覆した状態で形付けられている。